(57)【要約】【課題】コネクタハウジングから引き出された電線群を、この電線群の引き出し方向に対して立ち上がる方向にガイドしつつ、オイルが淀むことを防止することが可能なコネクタを提供する。【解決手段】電線Ｗに接続された端子金具１１が複数収容されて前記電線Ｗ群が背面側に引き出されるコネクタハウジング１０と、前記コネクタハウジング１０の背面側から前記電線Ｗ群に当たるカバー本体２１により、前記電線Ｗ群を前記引き出し方向に対して立ち上がる方向にガイドする電線カバー２０と、を備え、前記カバー本体２１のうち前記電線Ｗ群の立ち上がる側には、前記電線Ｗ間に位置するスペーサリブ２７が設けられている。【選択図】図３
2010225369.tif 000002
【特許請求の範囲】
【請求項１】
電線に接続された端子金具が複数収容されて前記電線群が背面側に引き出されるコネクタハウジングと、
前記コネクタハウジングの背面側から前記電線群に当たるカバー本体により、前記電線群を前記引き出し方向に対して立ち上がる方向にガイドする電線カバーと、を備え、
前記カバー本体のうち前記電線群の立ち上がる側には、前記電線間に位置するスペーサリブが設けられているコネクタ。
【請求項２】
前記スペーサリブを、前記カバー本体から前記電線群の立ち上がる側に突出する形状とした請求項１に記載のコネクタ。
【請求項３】
前記スペーサリブのうち前記カバー本体から突出する部分の角部に面取りを施した請求項２に記載のコネクタ。
【請求項４】
前記コネクタハウジングには、前記端子金具が収容されるキャビティが複数形成され、
前記スペーサリブを、前記キャビティの開口に向かって突出する形状とした請求項１ないし請求項３のいずれか一項に記載のコネクタ。
【発明の詳細な説明】
【技術分野】
【０００１】
本発明は、電線カバーを備えたコネクタに関する。
【背景技術】
【０００２】
従来より、コネクタハウジングから引き出された電線群を、この電線群の引き出し方向に対して立ち上がる方向にガイドする電線カバーを備えたコネクタが知られている（例えば特許文献１に記載）。このコネクタを、例えばオイルが満たされたオートマチックトランスミッションのケース内に配置したときには、電線カバーを取り付けて電線群をガイドすることにより、ケース内の限りあるスペースを有効利用することができる。
【先行技術文献】
【特許文献】
【０００３】
【特許文献１】特開２００５−３４７０８２号公報
【発明の概要】
【発明が解決しようとする課題】
【０００４】
しかしながら、上記のような場合には、電線群が、電線カバーからの出口付近において壁状に隙間無く立ち並んだ状態になるため、この付近でオイルが淀みがちになる。すると、オイルに鉄粉が含まれている場合には、その鉄粉が電線カバーの出口付近に集まり、ひいてはキャビティ内に侵入してショートするおそれがある。また、キャビティ内への鉄粉の侵入を防ぐべくコネクタを防水構造にすると、コストが高くなってしまうという問題がある。
【０００５】
本発明は上記のような事情に基づいて完成されたものであって、コネクタハウジングから引き出された電線群を、この電線群の引き出し方向に対して立ち上がる方向にガイドしつつ、オイルが淀むことを防止することが可能なコネクタを提供することを目的とする。
【課題を解決するための手段】
【０００６】
本発明のコネクタによれば、電線に接続された端子金具が複数収容されて前記電線群が背面側に引き出されるコネクタハウジングと、前記コネクタハウジングの背面側から前記電線群に当たるカバー本体により、前記電線群を前記引き出し方向に対して立ち上がる方向にガイドする電線カバーと、を備え、前記カバー本体のうち前記電線群の立ち上がる側には、前記電線間に位置するスペーサリブが設けられている。
【０００７】
このような構成によれば、電線群を引き出し方向に対して立ち上がる方向にガイドしたとき、スペーサリブにより電線間に隙間ができる。したがって、コネクタハウジングから引き出された電線群を、この電線群の引き出し方向に対して立ち上がる方向にガイドしつつ、オイルが淀むことを防止することができる。
【０００８】
また、前記スペーサリブを、前記カバー本体から前記電線群の立ち上がる側に突出する形状としたものとしてもよい。
また、前記スペーサリブのうち前記カバー本体から突出する部分の角部に面取りを施したものとしてもよい。このような構成によれば、スペーサリブの突出方向の先方にできた隙間を、オイルがより円滑に流れやすくなるから、オイルの淀みを確実に防止することができる。
【０００９】
また、前記コネクタハウジングには、前記端子金具が収容されるキャビティが複数形成され、前記スペーサリブを、前記キャビティの開口に向かって突出する形状としたものとしてもよい。このような構成によれば、スペーサリブがキャビティに連なる隙間を塞ぐから、鉄粉等の金属粉をキャビティ内に侵入させにくくすることができる。
【発明の効果】
【００１０】
本発明によれば、コネクタハウジングから引き出された電線群を、この電線群の引き出し方向に対して立ち上がる方向にガイドしつつ、オイルが淀むことを防止することが可能なコネクタを提供することができる。
【図面の簡単な説明】
【００１１】
【図１】本実施形態におけるコネクタの側面図
【図２】電線カバーをコネクタハウジングに取り付ける様子を表す側面図
【図３】コネクタの背面図
【図４】コネクタの一部拡大平断面図
【図５】電線カバーの正面図
【図６】電線カバーの背面図
【図７】電線カバーの上面図
【発明を実施するための形態】
【００１２】
以下、本発明を具体化した一実施形態について、図１〜図７を参照しつつ詳細に説明する。
本実施形態におけるコネクタＣは、電線Ｗ群が背面側に引き出されるコネクタハウジング１０と、電線Ｗ群を引き出し方向に対して立ち上がる方向にガイドする電線カバー２０とを備えている。このコネクタＣは、オイルが満たされたオートマチックトランスミッションのケース（図示せず）内に配置される。以下、各構成部材において、図１の右側を正面側、左側を背面側とし、また、上側を上方、下側を下方として説明する。
【００１３】
コネクタハウジング１０は合成樹脂製であって、その内部には、端子金具１１が収容されるキャビティ（図示せず）が複数形成されている。複数のキャビティは、コネクタハウジング１０の幅方向に一列に並んで設けられている。各キャビティ内には背面側から端子金具１１が挿入されるようになっており、コネクタハウジング１０の背面には、複数のキャビティの開口が幅方向に一定ピッチで並んで形成されている。そして、コネクタハウジング１０の背面には、キャビティの開口の下縁に沿って後方へ張り出す張出部１５が設けられている（図４参照）。張出部１５は、コネクタハウジング１０の略全幅にわたり（全キャビティの開口にわたり）形成されている。なお、コネクタハウジング１０には、キャビティに収容された端子金具１１に係止して、端子金具１１のキャビティからの抜け止めを図るリテーナ１２が装着されている。
【００１４】
コネクタハウジング１０の下面には、図示しない相手側コネクタＣと嵌合した状態にロックするためのロックアーム１４が形成されている。ロックアーム１４は片持ち状をなして背面側へ延出した形態をなし、その延出端部は、ロック状態を解除する際に押圧操作される操作部１４Ａとされている（図３参照）。操作部１４Ａを上方へ押圧操作することで、ロックアーム１４がロック解除方向（相手側コネクタから離間する方向）へ弾性撓みするようになっている。
【００１５】
コネクタハウジング１０の側壁１０Ａは、その後端が張出部１５の後端縁と揃う位置まで突出している（図４参照）。コネクタハウジング１０の側壁１０Ａの後端部のうち張出部１５の両端から上方へ突出する形態をなす部分には、後述する電線カバー２０のロック片２３と係合するロック部１６が設けられている。ロック部１６は、コネクタハウジング１０の側壁１０Ａの外面に突出して形成され、各ロック部１６の前面は、コネクタハウジング１０に対する電線カバー２０の組み付け方向と略直角をなす係合面１６Ａ、後面は、電線カバー２０の組み付け方向に対して傾斜した誘導面１６Ｂとされている。また、コネクタハウジング１０の側壁１０Ａの後端部のうち、張出部１５の両端から下方へ垂下する形態をなす部分は、ロックアーム１４の操作部１４Ａの両側に配されてこの操作部１４Ａを保護する保護部１７とされている。なお、ロック部１６の下側には、後述する電線カバー２０の嵌合リブ２５が嵌合する嵌合溝１８が形成されている。
【００１６】
電線カバー２０は合成樹脂製であって、コネクタハウジング１０の背面側から電線Ｗ群に当たるカバー本体２１を有している。カバー本体２１は、全体として幅方向に長い略長方形の板状をなし、その幅方向中央部（電線カバー２０をコネクタハウジング１０に取り付けた状態においてキャビティと対向する部分）には、背面側へ浅く凹んだ凹部２２が形成されている。凹部２２は、上方に開放された形状をなしている。なお、カバー本体２１の幅方向の両端部は、下方に突出した形状をなしている。
【００１７】
カバー本体２１の幅方向の両端部には、コネクタハウジング１０のロック部１６に係合するロック片２３が一対設けられている。一対のロック片２３は、カバー本体２１から正面側に向かって突出している。各ロック片２３は、上下方向に長い略矩形の平板状をなし、その板面はカバー本体２１に対して略垂直をなしている。一対のロック片２３は、カバー本体２１に連なる縁を支点として幅方向へ弾性的に拡開変形し得るようになっている。
【００１８】
各ロック片２３には、コネクタハウジング１０のロック部１６と対応する位置にロック孔２４が形成されている。ロック孔２４は、ロック部１６が嵌合可能な略方形をなしてロック片２３の板厚方向に貫通形成されている。ロック部１６がロック孔２４に嵌合することで、電線カバー２０は、コネクタハウジング１０に対して後方へ離脱することを規制されたロック状態になる。
【００１９】
ロック片２３の内面には、嵌合リブ２５が一体に設けられている。嵌合リブ２５は、ロック片２３の内面に沿って前後方向（コネクタハウジング１０に対する電線カバー２０の組み付け方向）に延び、その前端部はロック片２３から前方に突出している（図７参照）。嵌合リブ２５は、ロック片２３のうちロック孔２４の下側に設けられ、その上縁は、カバー本体２１の凹部２２の下縁と高さ方向の位置がほぼ揃っている。嵌合リブ２５は、コネクタハウジング１０の嵌合溝１８に嵌合し、これにより電線カバー２０のコネクタハウジング１０に対する上下方向の変位が規制される。
【００２０】
また、カバー本体２１のうちロック片２３の内側には、前方へ突出する一対のガイド片２６が設けられている。一対のガイド片２６は、カバー本体２１の両端部のうち下方へ突出した部分から前方へ突出している。ガイド片２６の突出寸法はロック片２３の突出寸法と同等とされ、それぞれロック片２３と対向している。ロック片２３とガイド片２６とには、コネクタハウジング１０の側壁１０Ａの保護部１７における壁厚寸法と同等の間隔をあけて配置されている。一対のガイド片２６は、コネクタハウジング１０に電線カバー２０を組み付けた状態では、ロックアーム１４の操作部１４Ａを両側から挟むように位置し、ロック解除操作時の操作部１４Ａの幅方向へのぶれを規制するようになっている。
【００２１】
さて、カバー本体２１には、電線Ｗ間に位置するスペーサリブ２７が設けられている。スペーサリブ２７は、カバー本体２１に一体に設けられている。スペーサリブ２７は、カバー本体２１の凹部２２の正面側に複数が並んで設けられている。スペーサリブ２７は、電線カバー２０をコネクタハウジング１０に取り付けた状態において、コネクタハウジング１０のうちキャビティ間を仕切る仕切り壁と対向する位置に設けられている。
【００２２】
各スペーサリブ２７は、カバー本体２１の凹部２２の下縁からカバー本体２１を上方に横切って立ち上がる上下方向に長い略矩形の板状をなしている。スペーサリブ２７は、カバー本体２１の上縁から上側（電線Ｗ群の立ち上がる側）に突出するとともに、カバー本体２１の正面から前方に突出する形状をなしている。各スペーサリブ２７は、その板面がカバー本体２１の板面と略垂直をなしている。
【００２３】
各スペーサリブ２７の板厚寸法（幅方向寸法）は、全体にわたり略一定とされ、コネクタハウジング１０のキャビティの仕切り壁の幅方向寸法よりも大きくされている。
スペーサリブ２７のうちカバー本体２１から上方に突出する部分の角部には面取りが施され、スペーサリブ２７の上端部の前後両端部はＲ面２８とされている。各Ｒ面２８は、スペーサリブ２７の並列方向を軸とする弧状をなしている。
【００２４】
そして、電線カバー２０をコネクタハウジング１０に組み付けた状態では、電線Ｗ群はカバー本体２１に押されることによって上向きに曲げられ、カバー本体２１とコネクタハウジング１０との間の隙間から上方へ導出される。このとき、スペーサリブ２７はキャビティ間の仕切り壁に向かって突出し、その前面がコネクタハウジング１０の後面に近接した状態になる。また、スペーサリブ２７が隣り合う電線Ｗの間に位置し、電線Ｗのうち電線カバー２０内に配される部分と、電線カバー２０から立ち上がる根元部分の全長にわたって、スペーサリブ２７が割り込んだ状態になる。そして、隣り合う電線Ｗのうちスペーサリブ２７から上方に延びる部分には、隙間があいた状態になる。
【００２５】
次に、上記のように構成された本実施形態の作用および効果について説明する。
本実施形態のコネクタＣは、カバー本体２１に、電線Ｗ間に位置するスペーサリブ２７を設けたから、電線カバー２０を取り付けて電線Ｗ群を上方（引き出し方向に対して立ち上がる方向）にガイドしたときには、電線Ｗ間に隙間ができてオイルが円滑に流れる。したがって、コネクタハウジング１０から背面側に引き出された電線Ｗ群を上方にガイドしつつ、オイルが淀むことを防止することができる。
【００２６】
また、スペーサリブ２７のうちカバー本体２１から突出する部分の角部に面取りが施されている。これにより、スペーサリブ２７の突出方向の先方にできた隙間を、より円滑にオイルが流れやすくなるから、オイルの淀みをより確実に防止することができる。
また、スペーサリブ２７は、キャビティの開口に向かって突出する形状とされている。これにより、スペーサリブ２７がキャビティに連なる隙間を塞ぐから、鉄粉等の金属粉をキャビティ内に侵入させにくくすることができる。
【００２７】
＜他の実施形態＞
本発明は上記記述及び図面によって説明した実施形態に限定されるものではなく、例えば次のような実施形態も本発明の技術的範囲に含まれる。
【００２８】
（１）上記実施形態では、スペーサリブ２７は、カバー本体２１よりも上方に突出する形状とされているが、これに限らず、例えばカバー本体内に収まるスペーサリブを設けることで、電線の間に隙間を形成するようにしてもよい。
【００２９】
（２）上記実施形態では、スペーサリブ２７は、カバー本体２１の凹部２２の下縁からカバー本体２１を上方に横切って立ち上がる形状とされているが、これに限らず、例えば、スペーサリブを、カバー本体の凹部の上縁寄りの部分のみに設けるようにしてもよい。
【符号の説明】
【００３０】
Ｃ…コネクタ
Ｗ…電線
１０…コネクタハウジング
１１…端子金具
２０…電線カバー
２１…カバー本体
２７…スペーサリブ
【図１】
2010225369.tif 000003
【図２】
2010225369.tif 000004
【図３】
2010225369.tif 000005
【図４】
2010225369.tif 000006
【図５】
2010225369.tif 000007
【図６】
2010225369.tif 000008
【図７】
2010225369.tif 000009